(57)【要約】【課題】シャフト固定かごとシャフト移動かごとを備えたマルチカーエレベータの運転に際し、シャフト移動かごのシャフト間の移動機能を有効に活用して高い輸送能力を、ホール行先階先行登録システムを用いずに実現できるエレベータ群管理装置およびエレベータ群管理方法を提供する。【解決手段】実施形態によればエレベータ群管理装置は予測占有区間情報生成部と重複判定部と移動経路選択部とを有する。予測占有区間情報生成部は複数のシャフト固定かごおよびシャフト移動かごのいずれかを目的階に向けて出発させる際に目的階までの走行により占有すると予測されるシャフト内の予測占有区間情報を生成する。重複判定部は生成された予測占有区間情報と他のかごに現在設定されている設定占有区間情報とが重複するか否かを判定する。移動経路選択部は占有区間が重複すると判定されたときにシャフト移動かごをシャフト移動させるための移動経路を選択する。【選択図】図１
2015160741.tif 000002
【特許請求の範囲】
【請求項１】
建物内のエレベータの複数のシャフトにそれぞれ設置された複数のシャフト固定かごと、前記複数のシャフトのうち異なるシャフト間を水平移動可能であるとともに上下走行可能な状態で設置されたシャフト移動かごとに接続されたエレベータ制御装置において、
前記複数のシャフト固定かごおよび前記シャフト移動かごについてそれぞれ設定された、他のかごの侵入を禁止して自かごが占有するシャフト内の区間を示す設定占有区間情報を記憶する設定占有区間情報記憶部と、
前記複数のシャフト固定かごおよび前記シャフト移動かごのいずれかを、停止状態から目的階に向けて出発させる際に、当該目的階までの走行により占有すると予測されるシャフト内の区間を示す予測占有区間情報を生成する予測占有区間情報生成部と、
前記予測占有区間情報生成部で予測占有区間情報が生成されたときに、生成された予測占有区間情報と前記設定占有区間情報記憶部に記憶されている他のかごの設定占有区間情報とが重複するか否かを判定する重複判定部と、
前記重複判定部で生成された予測占有区間情報と他のかごの設定占有区間情報とが重複すると判定されたときに、前記シャフト移動かごをシャフト移動させるための移動経路を選択する移動経路選択部と
を備えることを特徴とするエレベータ群管理装置。
【請求項２】
前記移動経路選択部は、前記シャフト移動かごをシャフト移動させるための移動経路として、
前記シャフト移動かごを異なるシャフトに水平移動させながら前記目的階へ昇降させる第１移動経路、
前記シャフト移動かごを現在の階床にて異なるシャフトに水平移動させる第２移動経路、
前記シャフト移動かごを現在のシャフト内で上方向または下方向に移動させた後、異なるシャフトに水平移動させる第３移動経路
のいずれかの移動経路を選択することを特徴とする請求項１に記載のエレベータ群管理装置。
【請求項３】
前記移動経路選択部は、
前記第１移動経路、前記第２移動経路、前記第３移動経路の順に高い優先順位で、移動経路を選択するかまたは、
前記第１移動経路、前記第２移動経路、前記第３移動経路のうち、各かごの待機予測時間の最大値もしくは合計値、または、前記エレベータ全体でのホール待ち時間の増加度合いを示す評価値が最も少ない移動経路を選択する
ことを特徴とする請求項２に記載のエレベータ群管理装置。
【請求項４】
前記設定占有区間情報および前記予測占有区間情報は、
停止中のかごについては、当該かごの存在するシャフトの停止階の範囲のみを占有区間とするかまたは、当該かごの存在するシャフトの停止階の上下に所定のバッファ区間を追加した範囲を占有区間とし、
同一シャフト内で走行中のかごについては、当該シャフト内の、当該かごの現在位置に対応する階床から目的階までの範囲を占有区間とするかまたは、当該かごの現在位置に対応する階床から目的階の進行方向前方に所定のバッファ区間を追加した範囲を占有区間とし、
シャフト移動を伴って走行中のかごについては、移動前のシャフトおよび移動後のシャフトの、シャフト移動の開始階から完了する階までの範囲を占有区間として生成される
ことを特徴とする請求項１〜３いずれか１項に記載のエレベータ群管理装置。
【請求項５】
建物内のエレベータの複数のシャフトにそれぞれ設置された複数のシャフト固定かごと、前記複数のシャフトのうち異なるシャフト間を水平移動可能であるとともに上下走行可能な状態で設置されたシャフト移動かごとに接続されたエレベータ制御装置が、
前記複数のシャフト固定かごおよび前記シャフト移動かごについてそれぞれ設定された、他のかごの侵入を禁止して自かごが占有するシャフト内の区間を示す設定占有区間情報を記憶するステップと、
前記複数のシャフト固定かごおよび前記シャフト移動かごのいずれかを、停止状態から目的階に向けて出発させる際に、当該目的階までの走行により占有すると予測されるシャフト内の区間を示す予測占有区間情報を生成するステップと、
前記予測占有区間情報が生成されたときに、生成された予測占有区間情報と、前記記憶されている他のかごの設定占有区間情報とが重複するか否かを判定するステップと、
前記生成された予測占有区間情報と他のかごの設定占有区間情報とが重複すると判定されたときに、前記シャフト移動かごをシャフト移動させるための移動経路を選択するステップと
を有することを特徴とするエレベータ群管理方法。
【発明の詳細な説明】
【技術分野】
【０００１】
本発明の実施形態は、エレベータ群管理装置およびエレベータ群管理方法に関する。
【背景技術】
【０００２】
近年、フロア数が多い中・高層ビルが増加しており、これらのビルでは輸送能力が高いエレベータが必要になる。
【０００３】
輸送能力が高いエレベータの１つとして、「ダブルデッキエレベータ」がある。ダブルデッキエレベータは、上かごと下かごとの２つの乗りかごを連結し、この２つの乗りかごを一体にした状態でシャフト内を走行させることにより、高い輸送能力を得ることができる。
【０００４】
しかしダブルデッキエレベータを利用する際には、奇数階と偶数階と間の移動ができない、一方の階の利用者が他方の階の利用者の乗降を待つ必要がある等の制約があり、乗客の利便性が低下する場合ある。
【０００５】
この問題を解決するためのエレベータとして、「シングルシャフトマルチカーエレベータ」がある。シングルシャフトマルチカーエレベータは、同一シャフト内に複数の乗りかごをそれぞれ独立して走行させることにより、高い輸送能力を得るとともに、上述したような乗客の利便性の低下を防ぐことができる。
【０００６】
しかし上述したシングルシャフトマルチエレベータは、同一のシャフト内を走行する乗りかごどうしが互いに接近しないように運行を制御しなければならないという制約がある。
【０００７】
そのため各乗りかごについて、自乗りかごの占有区間（自乗りかごが走行可能であるとともに他の乗りかごの侵入を禁止する区間）を、進行方向に存在する別の乗りかごの占有区間によって随時決定し、その中でのみ走行するようにする制御方式がある。
【０００８】
このように制御することにより乗りかごどうしの接近は防止できるが、自乗りかごの走行可能範囲が他の乗りかごの占有区間によって制約を受けてしまい、乗車した利用者が目的に向かうことができない場合が生じるという問題がある。
【０００９】
これを解決するため、シングルシャフトマルチエレベータにおいて、利用者がエレベータホールにて予め目的階を登録し、この登録に基づいて当該利用者に所定の乗りかごを割り当てるホール行き先階先行登録システム（ＤＣＳ：Destination Selection Control system）を利用する技術が提案されている。
【００１０】
この技術により、同一シャフト内で複数の乗りかごを走行させる際に、乗りかごどうしの接近を防ぎ、かつ利用者が目的階に到着できるよう効率よく運転させることができる。
【先行技術文献】
【特許文献】
【００１１】
【特許文献１】特開２００３−８１５４２号公報
【発明の概要】
【発明が解決しようとする課題】
【００１２】
しかし、ＤＣＳの機能を搭載するためには、大型の目的階登録装置や、どの乗りかごに搭乗すべきかを指示するための表示システム等を各階に設置する必要があり、コストがかかるという問題があった。
【００１３】
また、ＤＣＳはまだ一般的になじみが薄く、初めて利用する人が乗車の仕方を理解できずに混乱を招く場合があるという問題があった。
【００１４】
一方、マルチカーエレベータの中でも、複数のシャフトを有し、固定されたシャフト内を走行するシャフト固定乗りかごと、異なるシャフト間を移動可能な状態で走行するシャフト移動乗りかごとを備えたマルチカーエレベータの場合は、同一のシャフトを昇降する乗りかごどうしの運転経路が重なる場合にも、シャフト移動乗りかごを他の走行路に移動させつつ走行させることで、双方の乗りかごを干渉させずに、目的階までそれぞれ移動させる運行方法を取ることが可能である。従って、上述したシャフト移動乗りかごを有するマルチカーエレベータでは、シャフト移動乗りかごを最大限活用することによって、従来のマルチカーにおけるＤＣＳ方式や、互いの占有区間に応じてかごの運行範囲に制約を与える従来の方式を用いずとも、マルチカーが本来持つ高い輸送能力と、シングルカー並みの乗客利便性を両立できるはずである。
【００１５】
本発明は上記事情に鑑みてなされたものであり、建物内のエレベータの複数のシャフトにそれぞれ設置された複数のシャフト固定かごと、複数のシャフトのうち異なるシャフト間を水平移動可能であるとともに上下走行可能な状態で設置されたシャフト移動かごとを備えたマルチカーエレベータの運転に際し、シャフト移動かごのシャフト間の移動機能を有効に活用し、ＤＣＳ（ホール行先階先行登録システム）を用いず、かご内には通常のシングルカーと同様の行先階ボタンを配置し、通常のシングルカーと何ら変わらない使い勝手と、ＤＣＳを用いたマルチカーエレベータに匹敵する高い輸送能力とを両立させたエレベータ群管理装置およびエレベータ群管理方法を提供することを目的とする。
【課題を解決するための手段】
【００１６】
上記目的を達成するための実施形態によればエレベータ群管理装置は、予測占有区間情報生成部と重複判定部と移動経路選択部とを有する。予測占有区間情報生成部は、複数のシャフト固定かごおよびシャフト移動かごのいずれかを、停止状態から目的階に向けて出発させる際に、当該目的階までの走行により占有すると予測されるシャフト内の予測占有区間情報を生成する。重複判定部は、生成された予測占有区間情報と他のかごに現在設定されている設定占有区間情報とが重複するか否かを判定する。移動経路選択部は、占有区間が重複すると判定されたときに、シャフト移動かごをシャフト移動させるための移動経路を選択する。
【図面の簡単な説明】
【００１７】
【図１】第１実施形態および第２実施形態によるエレベータ群管理装置を利用したエレベータシステムの構成を示す全体図。
【図２】第１実施形態および第２実施形態によるエレベータ群管理装置により制御されるシャフト固定かごおよびシャフト移動かごの構成を示す外観斜視図。
【図３】第１実施形態および第２実施形態によるエレベータ群管理装置を利用したエレベータシステムの構成を示すブロック図。
【図４】第１実施形態および第２実施形態によるエレベータ群管理装置の動作を示すフローチャート。
【図５】第１実施形態によるエレベータ群管理装置の移動経路選択部の動作を示すフローチャート。
【図６】第１実施形態によるエレベータ群管理装置の制御により、シャフト移動かごを水平移動させながら目的階へ昇降させるときの経路を示す説明図。
【図７】第１実施形態によるエレベータ群管理装置の制御により、シャフト移動かごを水平移動させるときの経路を示す説明図。
【図８】第１実施形態によるエレベータ群管理装置の制御により、シャフト移動かごを上下方向に移動させた後、水平移動させるときの経路を示す説明図。
【図９】（ａ）、（ｂ）は、第１実施形態および第２実施形態によるエレベータ群管理装置において、停止中の乗りかごに対して設定される占有区間の例である。
【図１０】（ａ）、（ｂ）は、第１実施形態および第２実施形態によるエレベータ群管理装置において、同一シャフト内で走行中の乗りかごに対して設定される占有区間の例である。
【図１１】第１実施形態および第２実施形態によるエレベータ群管理装置において、シャフト移動を伴って走行中の乗りかごに対して設定される占有区間の例である。
【図１２】第１実施形態および第２実施形態によるエレベータ群管理装置において、シャフト移動を伴って走行中の乗りかごに対して設定される占有区間の他の例である。
【図１３】第２実施形態によるエレベータ群管理装置の移動経路選択部の動作を示すフローチャート。
【発明を実施するための形態】
【００１８】
《第１実施形態》
〈第１実施形態によるエレベータシステムの構成〉
本発明の第１実施形態によるエレベータシステム構成について、図１および２を参照して説明する。なお本実施形態では、２本のシャフト内にそれぞれシャフト固定かごを各１台配置し、それに加えてシャフト間を移動可能な移動かごを１台配置した「２シャフト３台かご」の構成の場合のものである。ただし本発明は、かご台数が必ずしも２シャフト３台かごに限定されるものでは無い。例えば、２本のシャフト内にシャフト固定かごを１台づつと、シャフト移動かご２台の「２シャフト４台かご」の場合でも適用は可能である。
【００１９】
本実施形態によるエレベータシステム１Ａを搭載する建物は、エレベータの第１シャフト２−１および第２シャフト２−２を備える。
【００２０】
またエレベータシステム１Ａは、第１シャフト２−１内を上下走行するように固定された乗りかご１１−１（以下、「第１シャフト固定かご１１−１」と称する。）と、第１シャフト固定かご１１−１の垂直方向の位置情報を検出する第１垂直位置検出装置１２−１と、第１シャフト固定かご１１−１および第１垂直位置検出装置１２−１に接続された第１シャフト固定かご制御装置１３−１とを有する。第１シャフト固定かご１１−１内には、かご呼びボタン１１１−１が設置されている。
【００２１】
またエレベータシステム１Ａは、第２シャフト２−２内を上下走行するように固定された乗りかご１１−２（以下、「第２シャフト固定かご１１−２」と称する。）と、第２シャフト固定かご１１−２の垂直方向の位置情報を検出する第２垂直位置検出装置１２−２と、第２シャフト固定かご１１−２および第２垂直位置検出装置１２−２に接続された第２シャフト固定かご制御装置１３−２とを有する。第２シャフト固定かご１１−２内には、かご呼びボタン１１１−２が設置されている。
【００２２】
またエレベータシステム１Ａは、第１シャフト２−１と第２シャフト２−２との間を水平移動可能であるとともに上下走行可能な状態で設置された乗りかご２１（以下、「シャフト移動かご２１」と称する。）と、シャフト移動かご２１の垂直方向の位置情報を検出する第３垂直位置検出装置２２と、シャフト移動かご２１の水平方向の位置情報を検出する水平位置検出装置２３と、シャフト移動かご２１、第３垂直位置検出装置２２、および水平位置検出装置２３に接続されたシャフト移動かご制御装置２４とを有する。シャフト移動かご２１内には、かご呼びボタン２１１が設置されている。
【００２３】
シャフト移動かご２１は、図２に示すように、第１シャフト２−１と第２シャフト２−２とにまたがるようにシャフト内に吊り下げられ、図示しないシャフト上方の巻上機によって上下方向に移動可能に設置された背面支持枠２８上に設置された水平駆動装置２５の駆動により、第１シャフト２−１と第２シャフト２−２との間を水平方向に移動可能であるとともに、垂直方向（上下方向）にも移動可能な状態で設置されている。
【００２４】
図１に戻り、当該建物内の各階（１階〜ｎ階）のエレベータホールには、ホール呼びボタン３０−１〜３０−ｎが設置されている。
【００２５】
また、当該建物内のエレベータ機械室や管理室には、第１シャフト固定かご制御装置１３−１、第２シャフト固定かご制御装置１３−２、シャフト移動かご制御装置２４、および、ホール呼びボタン３０−１〜３０−ｎに接続され、新規ホール呼に対する呼びの割り付けを行う群管理制御部４１や、シャフト移動運行などの本発明に特有の制御を行う機能などを集約した集中管理装置４０が設置されている。
【００２６】
図３は、第１シャフト固定かご制御装置１３−１、第２シャフト固定かご制御装置１３−２、シャフト移動かご制御装置２４、および、集中管理装置４０の詳細な構成を示すブロック図である。
【００２７】
第１シャフト固定かご制御装置１３−１は、通信部１３１−１と、動作状態取得部１３２−１と、呼び登録部１３３−１と、動作制御部１３４−１とを有する。同様に第２シャフト固定かご制御装置１３−２は、通信部１３１−２と、動作状態取得部１３２−２と、呼び登録部１３３−２と、動作制御部１３４−２とを有する。
【００２８】
通信部１３１−１および１３１−２はそれぞれ、集中管理装置４０との通信を行うインタフェースである。
【００２９】
動作状態取得部１３２−１および１３２−２はそれぞれ、制御対象のシャフト固定かご１１−１、１１−２の動作状態（昇降状態、戸開閉状態、かご呼びボタン１１１−１、１１１−２の操作状態、現在位置、移動速度、目的階等）を示す情報を取得する。
【００３０】
呼び登録部１３３−１および１３３−２はそれぞれ、かご呼びボタン１１１−１、１１１−２の操作によるかご呼び情報、および集中管理装置４０から送信されたホール呼び情報を登録する。
【００３１】
動作制御部１３４−１、１３４−２はそれぞれ、呼び登録部１３３−１、１３３−２に登録された呼び登録情報に基づいて、第１シャフト固定かご１１−１、第２シャフト固定かご１１−２の昇降動作、戸開閉動作、かご呼びボタン１１１−１、１１１−２の点灯消灯動作等を制御する。
【００３２】
またシャフト移動かご制御装置２４は、通信部２４１と、動作状態取得部２４２と、呼び登録部２４３と、動作制御部２４４とを有する。ただし動作制御２４４は、他の動作制御部１３４−１、１３４−２と異なり、かごのシャフト移動に関する動作の制御も行う。
【００３３】
通信部２４１は、集中管理装置４０との通信を行うインタフェースである。
【００３４】
動作状態取得部２４２は、制御対象のシャフト移動かご２１の動作状態（昇降状態、水平移動状態、戸開閉状態、かご呼びボタン２１１の操作状態、現在位置、移動速度、目的階等）を示す情報を取得する。
【００３５】
呼び登録部２４３は、かご呼びボタン２１１の操作によるかご呼び情報、および集中管理装置４０から送信されたホール呼び情報を取得する。
【００３６】
動作制御部２４４は、呼び登録部２４３に登録された呼び登録情報に基づいて、シャフト移動かご２１の昇降動作、水平移動動作、戸開閉動作、かご呼びボタン２１１の点灯消灯動作等を制御する。
【００３７】
ホール呼びボタン３０−１〜３０−ｎは、エレベータホールの利用者により乗りかごを呼び寄せるためのボタン操作が行われると、ホール呼び情報を生成し、集中管理装置４０に送信する。
【００３８】
集中管理装置４０は、群管理制御部４１の他に、シャフト移動に関連して各かごの運転を総合的に制御する制御部として、設定占有区間情報記憶部４２と、予測占有区間情報生成部４３と、重複判定部４４と、移動経路選択部４５と、通信部４６とを有する。
【００３９】
群管理制御部４１は、第１シャフト固定かご制御装置１３−１、第２シャフト固定かご制御装置１３−２、およびシャフト移動かご制御装置２４が持っている現状のかご呼び情報およびホール呼び割り付け情報を取得し、また、ホール呼びボタン３０−１〜３０−ｎから、新規にホール呼びが登録されたことを検出した際には、総合の待ち時間などに基づく評価値が、どの乗りかごに割り付けたときに最良となるかを判断し、最良の評価値となる乗りかごに新規ホール呼びの割り付けを行う。この処理は、通常のシングルカーの群管理制御部と同等の機能である。
【００４０】
設定占有区間情報記憶部４２は、第１シャフト固定かご１１−１、第２シャフト固定かご１１−２、およびシャフト移動かご２１のそれぞれについて、現在設定されている、設定占有区間情報を記憶する。設定占有区間情報とは、他の乗りかごの侵入を禁止して、自乗りかごが占有するシャフト内の区間を示す情報である。
【００４１】
予測占有区間情報生成部４３は、停止状態のかごが、次の目的階に出発する場合に、目的階への到着までに走行により占有すると予測されるシャフト内の区間を示す予測占有区間情報を生成する。
【００４２】
重複判定部４４は、予測占有区間情報生成部４３でいずれかの乗りかごに関する予測占有区間情報が生成されると、当該予測占有区間情報が、設定占有区間情報記憶部４２に記憶されている他の乗りかごの設定占有区間情報と重複するか否かを判定する。ここで、重複すると判定したときには、シャフト移動かご２１の移動指令を送出する。
【００４３】
移動経路選択部４５は、重複判定部４４からシャフト移動かご２１の移動指令が送出されたときに、シャフト移動かご２１の最適な移動経路を選択する。
【００４４】
通信部４６は、第１シャフト固定かご制御装置１３−１、第２シャフト固定かご制御装置１３−２、シャフト移動かご制御装置２４、およびホール呼びボタン３０−１〜３０−ｎとの通信を行い、必要に応じて各かごに待機指令や、シャフト移動指令などを出すためのインタフェースである。
【００４５】
〈第１実施形態によるエレベータシステムの動作〉
次に、本実施形態によるエレベータシステム１Ａの動作について説明する。本実施形態において第１シャフト固定かご制御装置１３−１は、通信部１３１−１を介して、上位の集中管理装置４０から出されるかご待機指令や、出発許可指令などの指令を受け取ったり、逆に上位の集中管理装置４０に対して、次の目的階への出発許可を得るためのリクエスト（出発リクエスト）を送出するなどの送信動作を、リアルタイムに行う。また、呼び登録部１３３−１の登録情報に基づき、次の目的階を算出し、動作制御部１３４−１に対しては、目的階の指示や出発、待機指示を出す。
【００４６】
動作制御部１３４−１は、動作状態取得部からの指令に基づき、具体的な巻上機の制御やかご扉の戸開閉制御を実施する。
【００４７】
また、呼び登録情報などの必要な情報は、通信部１３１−１を介して、随時、集中管理装置４０にも送信される。
【００４８】
また第２シャフト固定かご制御装置１３−２、および第３シャフト固定かご制御装置２４についても、同様の動作が実行される。
【００４９】
また集中管理装置４０の設定占有区間情報記憶部４２には、第１シャフト固定かご１１−１、第２シャフト固定かご１１−２、およびシャフト移動かご２１のそれぞれについて現在設定されている設定占有区間情報が記憶されている。各乗りかごの占有区間の設定ルールについては、後述する。
【００５０】
また、利用者によりホール呼びボタン３０−１〜３０−ｎのいずれかが操作されると、操作階情報を含むホール呼び情報が生成され、集中管理装置４０に送信される。新規のホール呼びについては、群管理制御部４１により、各かごの呼び登録部１３３−１，１３３−２，２４３の情報に基づき、評価値が最適なかごが選定される。選定結果に基づき、通信部４６から、当該かごの呼び登録部に呼びが登録される。
【００５１】
また、利用者により第１シャフト固定かご１１−１内のかご呼びボタン１１１−１が操作されると、その情報は、呼び登録部１３３−１に登録される。これは、第１シャフト固定かご１１−２、シャフト移動かご２１についても同様である。
【００５２】
次に、登録された呼びに応答して乗りかごを停止状態から目的階に向けて出発させるために、各かごの制御装置１３−１、１３−２、２４のいずれかから集中管理装置４０に対して、次の目的階への出発リクエストが送信される。出発リクエストが送信された際に集中管理装置４０において実行される処理について、図４のフローチャートを参照して説明する。
【００５３】
群管理制御部４１では、いずれかのかごの制御装置から送出された、出発リクエストが検知される（Ｓ１の「YES」）
この場合、まず群管理制御部４１により、出発リクエストを送出した乗りかごのかご制御装置に対する出発待機指令が生成され、通信部４６から送信される（Ｓ２）。出発待機指令が受信されたかご制御装置では、登録された呼びに対する当該乗りかごの出発が待機状態となる。
【００５４】
次に、出発リクエストを送出した制御装置に対応する乗りかごの現在位置および目的階の情報が、当該かごの動作状態取得部から取得され、その情報から、予測占有区間情報生成部４３において当該乗りかごが目的階まで走行する際に占有すると予測されるシャフト内の区間を示す予測占有区間情報が生成される（Ｓ３）。
【００５５】
次に、予測占有区間情報生成部４３で生成された予測占有区間情報が、設定占有区間情報記憶部４２に記憶されている他の乗りかごの設定占有区間情報と重複するか否かが、重複判定部４４において判定される（Ｓ４）。
【００５６】
ここで、出発リクエストを送出した乗りかごの予測占有区間情報と、他の乗りかごの設定占有区間情報とが重複しないと判定されたとき（Ｓ４の「NO」）は、当該予測占有区間情報が、当該乗りかごの走行中の設定占有区間情報として設定占有区間情報記憶部４２に記憶される。また、ステップＳ２で送信した出発待機指令を解除させるための出発待機の解除指令が生成され、ステップＳ２で出発待機指令を送信したかご制御装置に送信される（Ｓ５）。
【００５７】
出発待機の解除指令を受信したかご制御装置では、呼び登録部に登録された呼びに応答して、目的階に向けて乗りかごの走行を開始するよう、運転制御部により乗りかごが制御される。
【００５８】
走行が開始された乗りかごが目的階に着床し、呼びへの応答が完了すると（Ｓ６の「YES」）、設定占有区間情報記憶部４２に記憶されている当該乗りかごの設定占有区間情報が、停止中の設定占有区間情報に更新される（Ｓ７）。
【００５９】
またステップＳ４において、出発リクエストを送出した乗りかごの予測占有区間情報と、他の乗りかごの設定占有区間情報とが重複すると判定されたとき（Ｓ４の「YES」）は、乗りかごどうしの衝突回避のため、シャフト移動かご２１の移動指令が生成される（Ｓ８）。
【００６０】
重複判定部４４においてシャフト移動かご２１の移動指令が生成されると、移動経路選択部４５において、シャフト移動かご２１の最適な移動経路の選択が行われる（Ｓ９）。
【００６１】
移動経路選択部４５において実行される、シャフト移動かご２１の最適な移動経路の選択処理について、図５のフローチャートを参照して説明する。
【００６２】
まず、集中管理装置４０で取得された各乗りかごの動作状態情報に基づいて、シャフト移動かご２１が走行中であるか、いずれかの階床に停止中であるかが判定される（Ｓ２１）。
【００６３】
シャフト移動かご２１が停止中であると判定されたとき（Ｓ２１の「NO」）には、次の目的階があるか否かが判定される（Ｓ２２）。
【００６４】
次の目的階がある場合（Ｓ２２の「YES」）には、シャフト移動かご２１を異なるシャフトに水平移動させながら当該目的階へ昇降させる第１経路での移動が可能であるか否かが判定される（Ｓ２３）。
【００６５】
具体的には、シャフト移動かご２１を異なるシャフトに水平移動させながら当該目的階へ昇降させる場合の、シャフト移動かご２１の予測占有区間情報と、他の乗りかごの設定占有区間情報とが重複せずに当該走行が可能であるか否かが判定される。
【００６６】
第１経路での移動が可能であると判定されたとき（Ｓ２３の「YES」）には、この第１経路がシャフト移動かご２１の移動経路として選択される（Ｓ２４）。
【００６７】
この第１経路では、シャフト移動を行いながら同時に目的階に向けて走行するため、到着までの移動時間や移動距離のロスを最も抑えることができる。
【００６８】
またステップＳ２２において、シャフト移動かご２１に次の目的階がない場合（Ｓ２２の「NO」）、または、ステップＳ２３において、第１経路での移動が可能ではない（シャフト移動かご２１の予測占有区間情報と他の乗りかごの設定占有区間情報とが重複する）と判定されたとき（Ｓ２３の「NO」）には、シャフト移動かご２１を現在の階床にて異なるシャフトに水平移動させる第２経路での移動が可能であるか否かが判定される（Ｓ２５）。具体的には、シャフト移動かご２１を異なるシャフトに水平移動させる場合の、シャフト移動かご２１の予測占有区間情報と、他の乗りかごの設定占有区間情報とが重複せずに当該走行が可能であるか否かが判定される。
【００６９】
第２経路での移動が可能であると判定されたとき（Ｓ２５の「YES」）には、この第２経路がシャフト移動かご２１の移動経路として選択される（Ｓ２６）。
【００７０】
またステップＳ２５において、第２経路での移動も可能ではない（シャフト移動かご２１の予測占有区間情報と他の乗りかごの設定占有区間情報とが重複する）と判定されたとき（Ｓ２５の「NO」）には、シャフト移動かご２１を現在のシャフト内で上方向または下方向に移動させた後、異なるシャフトに水平移動させる第３経路での移動が可能であるか否かが判定される（Ｓ２７）。
【００７１】
第３経路での移動が可能であると判定されたとき（Ｓ２７の「YES」）には、この第３経路がシャフト移動かご２１の移動経路として選択される（Ｓ２８）。
【００７２】
このようにして、第１経路、第２経路、第３経路の順に高い優先順位で、移動経路が選択される。
【００７３】
ステップＳ２４、Ｓ２６、またはＳ２８によりシャフト移動かご２１の移動経路が選択されたときには、図４のフローチャートに戻ってステップＳ１０からＳ１１に移り、選択された経路にてシャフト移動かご２１を移動させるための移動指令がシャフト移動かご制御装置２４に送信される。
【００７４】
シャフト移動かご制御装置２４では、受信された移動指令に基づいた経路でシャフト移動かご２１を移動させるように、動作制御部２４４により制御される。
【００７５】
シャフト移動かご２１の移動について、図６〜図８の具体例を参照して説明する。
【００７６】
図６の例においては、シャフト移動かご２１が第１シャフト２−１の２階で乗客を乗せ終えて戸閉を完了し、次の目的階である９階に向けて出発しようとしており、第１シャフト固定かご１１−１は第１シャフト２−１の７階にて乗客を乗降車中であり、第２シャフト固定かご１１−２は第２シャフト２−２の１階にて乗客を乗降車中である。また、第１シャフト固定かご１１−１には、次の目的階として１階が登録されている。
【００７７】
この場合に、それぞれの乗りかごが現在のシャフトで目的階まで移動しようとすると、第１シャフト２−１内で、シャフト移動かご２１の２階から９階への移動による占有区間と、第１シャフト固定かご１１−１の７階から１階への移動による占有区間が重複するため、シャフト移動かご２１の移動指令が生成される。
【００７８】
そして、シャフト移動かご２１と第１シャフト固定かご１１−１との間には所定以上の距離があり、シャフト移動かご２１を第２シャフト２−２に水平移動させながら９階へ昇降させる経路での移動が可能であると判定され、当該移動経路が選択される。
【００７９】
この移動経路が選択されることにより、シャフト移動かご２１は、第１シャフト固定かご１１−１の横をすり抜けるように、第２シャフト２−２に移動しつつ２階から９階へ移動することが可能になる。また、第１シャフト固定かご１１−１は、７階で乗客を乗せ終えて戸閉を完了したときにはシャフト移動かご２１が既に第２シャフト２−２への移動を終えているため、第１シャフト２−１内で１階へ向けて移動することが可能になる。
【００８０】
また図７の例においては、シャフト移動かご２１が第１シャフト２−１の２階で乗客を乗せ終えて戸閉を完了し、次の目的階である９階に向けて出発しようとしており、第１シャフト固定かご１１−１は第１シャフト２−１の７階にて乗客を乗降車中であり、第２シャフト固定かご１１−２は第２シャフト２−２の３階にて乗客を乗降車中である。また、第１シャフト固定かご１１−１には、次の目的階として１階が登録されている。
【００８１】
この場合に、それぞれの乗りかごが現在のシャフトで目的階まで移動しようとすると、第１シャフト２−１内で、シャフト移動かご２１の２階から９階への移動による占有区間と、第１シャフト固定かご１１−１の７階から１階への移動による占有区間が重複するため、シャフト移動かご２１の移動指令が生成される。
【００８２】
そして、第２シャフト固定かご１１−２がシャフト移動かご２１の停止階（２階）に近い３階に停止しているため、シャフト移動かご２１を第２シャフト２−２に水平移動させながら９階へ昇降させる経路での移動は可能ではないが、シャフト移動かご２１を第２シャフト２−２に水平移動させる経路での移動のみであれば可能であると判定され、当該移動経路が選択される。
【００８３】
この移動経路が選択されることにより、第１シャフト固定かご１１−１は進路が開かれ、１階に向けて移動することが可能になる。
【００８４】
またシャフト移動かご２１は、進行方向に第２シャフト固定かご１１−２があるため第２シャフト２−２内で移動を開始することができないが、再度第１シャフト２−１に水平移動してから９階に向けて移動をするかまたは、第２シャフト固定かご１１−２が上方向に移動した場合には、第１シャフト２−１に移動しつつ上方向へ移動することで、９階に移動することが可能になる。
【００８５】
また図８の例においては、シャフト移動かご２１が第１シャフト２−１の３階で乗客を乗せ終えて戸閉を完了し、次の目的階である９階に向けて出発しようとしており、第１シャフト固定かご１１−１は第１シャフト２−１の７階にて乗客を乗降車中であり、第２シャフト固定かご１１−２は第２シャフト２−２の３階にて乗客を乗降車中である。また、第１シャフト固定かご１１−１には、次の目的階として１階が登録されている。
【００８６】
この場合に、それぞれの乗りかごが現在のシャフトで目的階まで移動しようとすると、第１シャフト２−１内で、シャフト移動かご２１の３階から９階への移動による占有区間と、第１シャフト固定かご１１−１の７階から１階への移動による占有区間が重複するため、シャフト移動かご２１の移動指令が生成される。
【００８７】
そして、第２シャフト固定かご１１−２が第１シャフト２−１内のシャフト移動かご２１と同じ３階に停止しており、シャフト移動かご２１を水平移動させながら目的階へ昇降させる経路での移動も、水平移動による経路での移動もできないが、シャフト移動かご２１を第１シャフト２−１内で上方向に移動させた後、第２シャフト２−２に水平移動させる経路での移動は可能であると判定され、当該移動経路が選択される。
【００８８】
この移動経路が選択されることにより、シャフト移動かご２１は水平移動可能となる５階まで移動した後、第２シャフト２−２に水平移動をすることで進路が開かれ、目的階である９階に向けて移動することが可能になる。
【００８９】
また第１シャフト固定かご２１は、シャフト移動かご２１が第２シャフト２−２に水平移動した後に、１階に向けて移動することが可能になる。
【００９０】
このようにシャフト移動かご２１のシャフト移動が行われると、集中管理装置４０において、送信した移動指令によるシャフト移動かご２１の移動動作が完了したか否かが集中管理部４０で監視される。移動動作が完了したと判定されたときには（Ｓ１２のYES））ステップＳ４に戻り、シャフト移動かご２１が移動したことにより、次のフロアへの出発リクエストを出している乗りかごの予測占有区間と、他の乗りかごの設定占有区間とが重複しない状況になったか否かが判定される（Ｓ４）。
【００９１】
呼びに応答させる乗りかごの予測占有区間と、他の乗りかごの設定占有区間とが重複しないと判定されるまでステップＳ８〜Ｓ１２の処理は繰り返される。
【００９２】
また図５のフローチャートにおいて、ステップＳ２７において、シャフト移動かご２１を当該シャフト内で上方向または下方向に移動させた後、異なるシャフトに水平移動させる経路での移動も可能ではない（シャフト移動かご２１の予測占有区間と他の乗りかごの設定占有区間とが重複する）と判定されたとき（Ｓ２７の「NO」）、または、ステップＳ２１においてシャフト移動かご２１が走行中であると判定されたとき（Ｓ２１の「YES」）には、シャフト移動かご２１の移動経路なしとして判定され（Ｓ３０）、図４のフローチャートに戻ってステップＳ１０からＳ４に移り、各エレベータの運転状況が変化するかシャフト移動が行われることにより占有区間の重複がなくなるまで、Ｓ８〜Ｓ１２の処理が繰り返される。
【００９３】
占有区間が重複しなくなったと判定されたとき（Ｓ４の「NO」）は、出発待機の解除指令が生成されて該当するかご制御装置に送信され、呼びへの応答が開始される（Ｓ５）。
【００９４】
出発待機の解除指令を受信したかご制御装置では、呼び登録部に登録された呼びに応答して、目的階に向けて乗りかごの走行を開始するよう、運転制御部により制御される。
【００９５】
走行が開始された乗りかごが目的階に着床し、呼びへの応答が完了すると（Ｓ６の「YES」）、設定占有区間情報記憶部４２に記憶されている当該乗りかごの設定占有区間情報が、停止中の設定占有区間情報に更新される（Ｓ７）。
【００９６】
[乗りかごの占有区間の設定ルール]
乗りかごの占有区間の設定ルールの例について、図９〜１２を参照して説明する。各図において、占有区間として設定するシャフト内の区間を斜線で示している。
【００９７】
(1) 停止中の乗りかごに対する占有区間の設定ルールの例
図９（ａ）は、乗りかごの存在するシャフトの停止階の範囲のみを占有区間とするシンプルな例である。本例のように占有区間を設定することにより、他の乗りかごは直近の階床まで侵入することができる。本例は、当該エレベータシステム１Ａ内で停止中の乗りかごに対して用いる可能性が最も高い設定ルールである。
【００９８】
図９（ｂ）は、乗りかごの存在するシャフトの停止階の上下に、１階床の１／２程度のバッファ区間を追加した範囲を占有区間とする例である。本例のように占有区間を設定することにより、停止中の乗りかごに隣接する階床に他の乗りかごが停止できない等の運行上の制約が大きくなる場合があるが、万が一故障の際に、乗りかごどうしの衝突を防止して安全性を高めることができるという利点がある。例えば、システムの故障等により、停止している乗りかごに他の乗りかごが接近してきてしまった場合に、非常停止システムによってバッファ区間でかごを滑らかに停止させることができる。
【００９９】
(2) 同一シャフト内で走行中の乗りかごに対する占有区間の設定ルールの例
図１０（ａ）は、乗りかごの現在位置に基づいて、当該乗りかごが一部でも存在していると認められる階床から目的階までの範囲を占有区間とする例である。本例では、他の乗りかごの侵入を禁止すべき最低限の区間を占有区間として設定しており、当該エレベータシステム１Ａ内で走行中の乗りかごに対して用いる可能性が最も高い設定ルールである。
【０１００】
図１０（ｂ）は、乗りかごの現在位置に基づいて、目的階の進行方向前方に、１階床の１／２程度のバッファ区間を追加した範囲を占有区間とする例である。本例のように占有区間を設定することにより、運行上の制約が大きくなる場合があるが、万が一乗りかごが目的階に停止しきれなかった場合にバッファ区間で緊急停止させることができ、安全性を高めることができるという利点がある。
【０１０１】
(3) シャフト移動を伴って走行中のシャフト移動乗りかごに対する占有区間の設定ルールの例
図１１は、シャフト移動かご２１を異なるシャフトに水平移動させながら目的階へ走行させるときの占有区間の設定ルールの例である。
【０１０２】
この場合、移動前の第１シャフト２−１と移動後の第２シャフト２−２との双方の、乗りかごの水平移動の開始階から水平移動が完了する階（図１１では２階から５階）までの範囲を占有区間とする。
【０１０３】
また、乗りかごの水平移動が完了した階から目的階までの上下移動のみを行う範囲は、移動後の第２シャフト２−２を占有区間とする。
【０１０４】
本例のように占有区間を設定することにより、他の乗りかごと接触せずに、乗りかごを異なるシャフトに水平移動させながら目的階へ昇降させることができる。
【０１０５】
図１２は、シャフト移動かご２１をシャフト内で上下方向に移動させた後、異なるシャフトに水平移動させ、さらに目的階まで上下方向に移動させて目的階まで走行させるときの占有区間の設定ルールの例でさる。
【０１０６】
この場合、各シャフトについて、乗りかごを上下方向に移動させる範囲を占有区間とする。図１２では、第１シャフト２−１の２階〜５階と、第２シャフト２−２の５階〜１０階とが占有区間として設定されており、水平移動を行う５階の占有区間は、第１シャフト２−１と第２シャフト２−２との双方に跨って設定されている。
【０１０７】
上述した占有区間の設定ルールは、予測占有区間情報を生成する際にも適用される。
【０１０８】
以上の第１実施形態によれば、２本のシャフト内を３台の乗りかごが走行するエレベータシステムにおいて、乗りかご同士の占有区間が重ならないときには通常の３シャフトシングルカーエレベータと同じようにそれぞれの乗りかごがシャフト内を自由に走行することができ、また、同一シャフトの乗りかご同士の占有区間が重なる状況が発生した場合には、シャフト移動かごが走行可能な最良の経路によって速やかにシャフト移動を実施して、占有区間が重ならなくなるように制御することができる。
【０１０９】
このように制御することにより、システム内にＤＣＳ等の新たなハード機器を追加することなく、シャフト移動乗りかごのシャフト間の移動機能を有効に利用してなるべく少ないロスで、高い輸送能力を発揮させることが可能になる。その際、乗客は一般のシングルカーエレベータを利用する場合と何ら変わらずに利用することができる。
【０１１０】
なお、本実施形態においては説明を簡略化するためにシャフト本数、乗りかご数ともに最小の構成としたが、これに限定されるものではなく、さらに多くのシャフト本数、乗りかご数を備えたエレベータシステムとしてもよい。
【０１１１】
《第２実施形態》
本発明の第２実施形態によるエレベータシステム１Ｂの構成は、第１実施形態によるエレベータシステム１Ａの構成と同様であり、図４のステップＳ９において集中管理装置４０の移動経路選択部４５で実行される移動経路の選択処理を除いては同様の動作が行われるため、同一部分の詳細な説明は省略する。
【０１１２】
本実施形態によるエレベータシステム１Ｂの移動経路選択部４５において実行される、シャフト移動かご２１の最適な移動経路の選択処理について、図１３のフローチャートを参照して説明する。
【０１１３】
まず、群管理制御部４１で取得された各乗りかごの動作状態情報に基づいて、シャフト移動かご２１が走行中であるか、いずれかの階床に停止中であるかが判定される（Ｓ４１）。
【０１１４】
シャフト移動かご２１が停止中であると判定されたとき（Ｓ４１の「NO」）には、シャフト移動かご２１の予測占有区間と他の乗りかごの設定占有区間とが重複しない複数の走行経路が選択される（Ｓ４２）。このときに、合わせてシャフト移動かご２１のシャフト移動をすぐに実施せず、しばらく待機した後に移動を開始させる場合の移動経路についても選択される。
【０１１５】
次に、選択された各移動経路に関し、各乗りかごで必要な待機時間が算出される（Ｓ４３）。
【０１１６】
次に、群管理制御部４１で取得された各乗りかごの動作状態情報に基づいて、算出された各乗りかごの待機時間から乗客の乗降車時間を差し引いた「純粋な待機時間」を算出し、これに基づいて各移動経路に関する、各乗りかごの待機予測時間の最大値もしくは合計値、または、システム全体でのホール待ち時間の増加度合いを示す評価値が算出される（Ｓ４４）。
【０１１７】
次に、算出された評価値が最小の移動経路、つまりシステム全体での乗客のホール待ち時間の増加が最も少ない経路が、移動経路として選択される（Ｓ４５）。
【０１１８】
ステップＳ４５において移動経路が選択されると、図４のフローチャートに戻ってステップＳ１０からステップＳ１１に移り、選択された経路にてシャフト移動かご２１を移動させるための移動指令がシャフト移動かご制御装置２４に送信される。
【０１１９】
またステップＳ４１においてシャフト移動かご２１が走行中であると判定されたとき（Ｓ４１の「YES」）には、シャフト移動かご２１の移動経路なしとして判定され（Ｓ４７）、図４のフローチャートに戻ってステップＳ１０からＳ４に移り、各エレベータの運転状況が変化するかシャフト移動が行われることにより占有区間の重複がなくなるまで、Ｓ８〜Ｓ１２の処理が繰り返される。
【０１２０】
以上の第２実施形態によれば、２本のシャフト内を３台の乗りかごが走行するエレベータシステムにおいて、乗りかご同士の占有区間が重ならないときには通常の３シャフトシングルカーエレベータと同じようにそれぞれの乗りかごがシャフト内を自由に走行することができ、また、同一シャフトの乗りかご同士の占有区間が重なる状況が発生した場合には、シャフト移動かごが走行可能な最良の経路によって速やかにシャフト移動を実施して、占有区間が重ならなくなるようにすることができる。
【０１２１】
特にシャフト移動かごの移動経路を選択する際に、第１実施形態のエレベータシステムではシャフト移動かごが目的階に到着するまでシャフト固定かごが出発できず、シャフト固定かごの待機時間が長くなる場合があるが、第２実施形態のエレベータシステムでは、エレベータシステム全体のロス時間を評価した値に基づいて移動経路を選択するため、一方の乗りかごの待ち時間が長くなる事態を防ぐことができ、より効率よく運転することができる。
【０１２２】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１２３】
１Ａ、１Ｂ  エレベータシステム
２−１  第１シャフト
２−２  第２シャフト
１１−１  第１シャフト固定かご
１１−２  第２シャフト固定かご
１２−１  第１垂直位置検出装置
１２−２  第２垂直位置検出装置
１３−１  第１シャフト固定かご制御装置
１３−２  第２シャフト固定かご制御装置
２１  シャフト移動かご
２２  第３垂直位置検出装置
２３  水平位置検出装置
２４  シャフト移動かご制御装置
２５  水平駆動装置
３０−１〜３０−ｎ  ホール呼びボタン
４０  集中管理装置（エレベータ群管理装置）
４１  群管理制御部
４２  設定占有区間情報記憶部
４３  予測占有区間情報生成部
４４  重複判定部
４５  移動経路選択部
４６  通信部
１１１−１、１１１−２、２１１  かご呼びボタン
１３１−１、１３１−２、２４１  通信部
１３２−１、１３２−２、２４２  動作状態取得部
１３３−１、１３３−２、２４３  呼び登録部
１３４−１、１３４−２、２４４  動作制御部
【図１】
2015160741.tif 000003
【図２】
2015160741.tif 000004
【図３】
2015160741.tif 000005
【図４】
2015160741.tif 000006
【図５】
2015160741.tif 000007
【図６】
2015160741.tif 000008
【図７】
2015160741.tif 000009
【図８】
2015160741.tif 000010
【図９】
2015160741.tif 000011
【図１０】
2015160741.tif 000012
【図１１】
2015160741.tif 000013
【図１２】
2015160741.tif 000014
【図１３】
2015160741.tif 000015
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
建物内のエレベータの複数のシャフトにそれぞれ設置された複数のシャフト固定かごと、前記複数のシャフトのうち異なるシャフト間を水平移動可能であるとともに上下走行可能な状態で設置されたシャフト移動かごとに接続されたエレベータ群管理装置において、
前記複数のシャフト固定かごおよび前記シャフト移動かごについてそれぞれ設定された、他のかごの侵入を禁止して自かごが占有するシャフト内の区間を示す設定占有区間情報を記憶する設定占有区間情報記憶部と、
前記複数のシャフト固定かごおよび前記シャフト移動かごのいずれかを、停止状態から目的階に向けて出発させる際に、当該目的階までの走行により占有すると予測されるシャフト内の区間を示す予測占有区間情報を生成する予測占有区間情報生成部と、
前記予測占有区間情報生成部で予測占有区間情報が生成されたときに、生成された予測占有区間情報と前記設定占有区間情報記憶部に記憶されている他のかごの設定占有区間情報とが重複するか否かを判定する重複判定部と、
前記重複判定部で生成された予測占有区間情報と他のかごの設定占有区間情報とが重複すると判定されたときに、前記シャフト移動かごをシャフト移動させるための移動経路として、前記シャフト移動かごを異なるシャフトに水平移動させながら前記目的階へ昇降させる第１経路、前記シャフト移動かごを現在の階床にて異なるシャフトに水平移動させる第２経路、または前記シャフト移動かごを現在のシャフト内で上方向または下方向に移動させた後、異なるシャフトに水平移動させる第３経路のうち、
前記シャフト移動かごに次の目的階があり、前記第１経路での移動が可能であるときには前記第１経路を選択し、
前記シャフト移動かごに次の目的階がなく前記第２経路での移動が可能であるとき、または、前記シャフト移動かごに次の目的があるが前記第１経路での移動が可能ではなく前記第２経路での移動が可能であるときには前記第２経路を選択し、
前記シャフト移動かごに次の目的階がなく前記第２経路での移動が可能ではないが前記第３経路での移動が可能であるとき、または、前記シャフト移動かごに次の目的階があるが前記第１経路での移動も前記第２経路での移動も可能ではなく前記第３経路での移動が可能であるときには前記第３経路を選択する移動経路選択部と
を備えることを特徴とするエレベータ群管理装置。
【請求項２】
前記設定占有区間情報および前記予測占有区間情報は、
停止中のかごについては、当該かごの存在するシャフトの停止階の範囲のみを占有区間とするかまたは、当該かごの存在するシャフトの停止階の上下に所定のバッファ区間を追加した範囲を占有区間とし、
同一シャフト内で走行中のかごについては、当該シャフト内の、当該かごの現在位置に対応する階床から目的階までの範囲を占有区間とするかまたは、当該かごの現在位置に対応する階床から目的階の進行方向前方に所定のバッファ区間を追加した範囲を占有区間とし、
シャフト移動を伴って走行中のかごについては、移動前のシャフトおよび移動後のシャフトの、シャフト移動の開始階から完了する階までの範囲を占有区間として生成される
ことを特徴とする請求項１に記載のエレベータ群管理装置。
【請求項３】
建物内のエレベータの複数のシャフトにそれぞれ設置された複数のシャフト固定かごと、前記複数のシャフトのうち異なるシャフト間を水平移動可能であるとともに上下走行可能な状態で設置されたシャフト移動かごとに接続されたエレベータ群管理装置が、
前記複数のシャフト固定かごおよび前記シャフト移動かごについてそれぞれ設定された、他のかごの侵入を禁止して自かごが占有するシャフト内の区間を示す設定占有区間情報を記憶するステップと、
前記複数のシャフト固定かごおよび前記シャフト移動かごのいずれかを、停止状態から目的階に向けて出発させる際に、当該目的階までの走行により占有すると予測されるシャフト内の区間を示す予測占有区間情報を生成するステップと、
前記予測占有区間情報が生成されたときに、生成された予測占有区間情報と、前記記憶されている他のかごの設定占有区間情報とが重複するか否かを判定するステップと、
前記生成された予測占有区間情報と他のかごの設定占有区間情報とが重複すると判定されたときに、前記シャフト移動かごをシャフト移動させるための移動経路として、前記シャフト移動かごを異なるシャフトに水平移動させながら前記目的階へ昇降させる第１経路、前記シャフト移動かごを現在の階床にて異なるシャフトに水平移動させる第２経路、または前記シャフト移動かごを現在のシャフト内で上方向または下方向に移動させた後、異なるシャフトに水平移動させる第３経路のうち、
前記シャフト移動かごに次の目的階があり、前記第１経路での移動が可能であるときには前記第１経路を選択し、
前記シャフト移動かごに次の目的階がなく前記第２経路での移動が可能であるとき、または、前記シャフト移動かごに次の目的があるが前記第１経路での移動が可能ではなく前記第２経路での移動が可能であるときには前記第２経路を選択し、
前記シャフト移動かごに次の目的階がなく前記第２経路での移動が可能ではないが前記第３経路での移動が可能であるとき、または、前記シャフト移動かごに次の目的階があるが前記第１経路での移動も前記第２経路での移動も可能ではなく前記第３経路での移動が可能であるときには前記第３経路を選択するステップと
を有することを特徴とするエレベータ群管理方法。
【手続補正２】
【補正対象書類名】明細書
【補正対象項目名】００１６
【補正方法】変更
【補正の内容】
【００１６】
上記目的を達成するための実施形態によればエレベータ群管理装置は、予測占有区間情報生成部と重複判定部と移動経路選択部とを有する。予測占有区間情報生成部は、複数のシャフト固定かごおよびシャフト移動かごのいずれかを、停止状態から目的階に向けて出発させる際に、当該目的階までの走行により占有すると予測されるシャフト内の予測占有区間情報を生成する。重複判定部は、生成された予測占有区間情報と他のかごに現在設定されている設定占有区間情報とが重複するか否かを判定する。移動経路選択部は、占有区間が重複すると判定されたときに、シャフト移動かごをシャフト移動させるための移動経路として、前記シャフト移動かごを異なるシャフトに水平移動させながら前記目的階へ昇降させる第１経路、前記シャフト移動かごを現在の階床にて異なるシャフトに水平移動させる第２経路、または前記シャフト移動かごを現在のシャフト内で上方向または下方向に移動させた後、異なるシャフトに水平移動させる第３経路のうち、前記シャフト移動かごに次の目的階があり、前記第１経路での移動が可能であるときには前記第１経路を選択し、前記シャフト移動かごに次の目的階がなく前記第２経路での移動が可能であるとき、または、前記シャフト移動かごに次の目的があるが前記第１経路での移動が可能ではなく前記第２経路での移動が可能であるときには前記第２経路を選択し、前記シャフト移動かごに次の目的階がなく前記第２経路での移動が可能ではないが前記第３経路での移動が可能であるとき、または、前記シャフト移動かごに次の目的階があるが前記第１経路での移動も前記第２経路での移動も可能ではなく前記第３経路での移動が可能であるときには前記第３経路を選択する。